(57)【特許請求の範囲】
【請求項１】
所定テーマ毎に設けられた複数の掲示板に対し、ユーザから送信された文書が指定された掲示板に掲示される電子掲示板システムであって、
掲示板に対するアクセス履歴を格納したアクセス履歴格納手段と、
前記アクセス履歴に基づいて、不活発な掲示板と活発な掲示板を決定する利用状態判断手段と、
前記利用状態判断手段により決定された活発な掲示板の文書のなかから、不活発な掲示板の文書に類似している類似文書を決定する類似文書決定手段と、
前記類似文書決定手段により決定された類似文書が掲示される活発な掲示板に、前記不活発な掲示板の文書の情報を関連する文書として表示する文書関連表示手段とを、
具備することを特徴とする電子掲示板システム。
【請求項２】
前記文書関連表示手段は、更に、前記不活発な掲示板に、前記類似文書決定手段により決定された類似文書の情報を関連する文書として表示することを特徴とする請求項１に記載した電子掲示板システム。
【請求項３】
前記利用状態判断手段は、当該掲示板に掲示されている文書数と掲示文書に対するアクセス回数を用いて活発な掲示板と不活発な掲示板を決定する
ことを特徴とする請求項１又は請求項２に記載した電子掲示板システム。
【請求項４】
所定テーマ毎に設けられた複数の掲示板に対し、ユーザから送信された文書が指定された掲示板に掲示される電子掲示板システムであって、
掲示板に対するアクセス履歴を格納したアクセス履歴格納手段と、
前記アクセス履歴に基づいて、各掲示板に掲示された文書の利用状態を調べ、不活発な文書と活発な文書を決定する利用状態判断手段と、
前記利用状態判断手段により決定された活発な文書のなかから、不活発な文書に類似している類似文書を決定する類似文書決定手段と、
前記類似文書決定手段により決定された類似文書が掲示される掲示板に、前記不活発な文書の情報を関連する文書として表示する文書関連表示手段とを、
具備することを特徴とする電子掲示板システム。
【請求項５】
前記文書関連表示手段は、更に、前記不活発な文書が掲示される掲示板に、前記類似文書決定手段により決定された類似文書の情報を関連する文書として表示することを特徴とする請求項４に記載した電子掲示板システム。
【請求項６】
前記掲示板に掲示された文書を特徴づける文書ベクトルを取得する文書ベクトル取得手段を備え、
前記類似文書決定手段は、前記文書ベクトル取得手段で取得された２つの文書の文書ベクトルから両文書の類似度を求め、類似度が所定値以上である場合に当該両文書が類似していると決定する、
ことを特徴とする請求項１から請求項５のうちのいずれか１つの請求項に記載した電子掲示板システム。
【請求項７】
前記文書関連表示手段は、ハイパーリンクにより、関連する文書として文書の情報を表示する
ことを特徴とする請求項１から請求項６のうちのいずれか１つの請求項に記載した電子掲示板システム。
【請求項８】
前記文書関連表示手段は、掲示板に掲示されている文書の一覧画面において、関連する文書として文書のタイトルを表示する
ことを特徴とする請求項１から請求項６のうちのいずれか１つの請求項に記載した電子掲示板システム。
【請求項９】
前記文書関連表示手段により関連する文書として表示されている文書が選択された場合、当該選択された文書を掲示したユーザにアクセスの承認を求めるアクセス承認フローを起動するアクセス処理手段を具備することを特徴とする請求項１から請求項８のうちのいずれか１つの請求項に記載した電子掲示板システム。
【請求項１０】
所定テーマ毎に設けられた複数の掲示板に対し、ユーザから送信された文書が指定された掲示板に掲示され、掲示板に対するアクセス履歴を格納したアクセス履歴格納手段を備える電子掲示板システムで使用される電子掲示板プログラムが記憶された記憶媒体であって、
前記アクセス履歴に基づいて、不活発な掲示板と活発な掲示板を決定する利用状態判断機能と、
前記利用状態判断機能により決定された活発な掲示板の文書のなかから、不活発な掲示板の文書に類似している類似文書を決定する類似文書決定機能と、
前記類似文書決定機能により決定された類似文書が掲示される活発な掲示板に、前記不活発な掲示板の文書の情報を関連する文書として表示する文書関連表示機能とを、
コンピュータに実現させるためのコンピュータ読取り可能な電子掲示板プログラムが記憶された記憶媒体。
【請求項１１】
前記文書関連表示機能は、更に、前記不活発な掲示板に、前記類似文書決定手段により決定された類似文書の情報を関連する文書として表示することを特徴とする請求項１０に記載した電子掲示板プログラムが記憶された記憶媒体。
【請求項１２】
前記利用状態判断機能は、当該掲示板に掲示されている文書数と掲示文書に対するアクセス回数を用いて活発な掲示板と不活発な掲示板を決定する
ことを特徴とする請求項１０又は請求項１１に記載した電子掲示板プログラムが記憶された記憶媒体。
【請求項１３】
所定テーマ毎に設けられた複数の掲示板に対し、ユーザから送信された文書が指定された掲示板に掲示され、掲示板に対するアクセス履歴を格納したアクセス履歴格納手段を備える電子掲示板システムで使用される電子掲示板プログラムが記憶された記憶媒体であって、
前記アクセス履歴に基づいて、各掲示板に掲示された文書の利用状態を調べ、不活発な文書と活発な文書を決定する利用状態判断機能と、
前記利用状態判断機能により決定された活発な文書のなかから、不活発な文書に類似している類似文書を決定する類似文書決定機能と、
前記類似文書決定機能により決定された類似文書が掲示される掲示板に、前記不活発な文書の情報を関連する文書として表示する文書関連表示機能とを、
コンピュータに実現させるためのコンピュータ読取り可能な電子掲示板プログラムが記憶された記憶媒体。
【請求項１４】
前記文書関連表示手段は、更に、前記不活発な文書が掲示される掲示板に、前記類似文書決定手段により決定された類似文書の情報を関連する文書として表示することを特徴とする請求項１３に記載した電子掲示板プログラムが記憶された記憶媒体。
【請求項１５】
前記掲示板に掲示された文書を特徴づける文書ベクトルを取得する文書ベクトル取得機能を備え、
前記類似文書決定機能は、前記文書ベクトル取得機能で取得された２つの文書の文書ベクトルから両文書の類似度を求め、類似度が所定値以上である場合に当該両文書が類似していると決定する、
ことを特徴とする請求項１０から請求項１４のうちのいずれか１つの請求項に記載した電子掲示板プログラムが記憶された記憶媒体。
【請求項１６】
利用状態判断手段、類似文書決定手段、文書関連表示手段、掲示板に対するアクセス履歴を格納したアクセス履歴格納手段、を備え、所定テーマ毎に設けられた複数の掲示板に対し、ユーザから送信された文書が指定された掲示板に掲示される電子掲示板システムで用いられる電子掲示板の活性化方法であって、
前記利用状態判断手段が、前記アクセス履歴に基づいて、不活発な掲示板と活発な掲示板を決定する第１ステップと、
前記類似文書決定手段が、前記第１ステップにより決定された活発な掲示板の文書のなかから、不活発な掲示板の文書に類似している類似文書を決定する第２ステップと、
前記文書関連表示手段が、前記第２ステップにより決定された類似文書が掲示される活発な掲示板に、前記不活発な掲示板の文書の情報を関連する文書として表示する第３ステップとを、
具備することを特徴とする電子掲示板の活性化方法。
【請求項１７】
利用状態判断手段、類似文書決定手段、文書関連表示手段、掲示板に対するアクセス履歴を格納したアクセス履歴格納手段、を備え、所定テーマ毎に設けられた複数の掲示板に対し、ユーザから送信された文書が指定された掲示板に掲示される電子掲示板システムで用いられる電子掲示板の活性化方法であって、
前記利用状態判断手段が、前記アクセス履歴に基づいて、不活発な文書と活発な文書を決定する第１ステップと、
前記類似文書決定手段が、前記第１ステップにより決定された活発な文書のなかから、不活発な文書に類似している類似文書を決定する第２ステップと、
前記文書関連表示手段が、前記第２ステップにより決定された類似文書が掲示される掲示板に、前記不活発な文書の情報を関連する文書として表示する第３ステップとを、
具備することを特徴とする電子掲示板の活性化方法。
【発明の詳細な説明】
【０００１】
【発明の属する技術分野】
本発明は、電子会議システムを含む電子掲示板システム及び電子掲示板プログラムが記憶された記憶媒体に係り、詳細には、不活発な掲示板または文書の活発化支援に関する。
【０００２】
【従来の技術】
電子掲示板システムは、不特定多数のネットワーク加入者がネットワーク主体者の用意する電子掲示板にアクセスすることを可能としたシステムである。電子掲示板システムは、通常ジャンル別などに設定された各種テーマの掲示板が用意されており、加入者やユーザは希望するテーマの掲示板から所望する情報を取得したり、掲示板に自己の意見や情報を文書として掲示したりすることができるようになっている。
一方、電子会議システムは、電気通信網における多数の末端設備を使用することにより、物理的、時間的に離れた人々を相互に接続し、文書等により行う会議であり、電子掲示板と同様の内容を備えている。従って、本明細書では、電子掲示板システムには電子会議システムを含み、電子掲示板には会議室を含むものとして説明する。
【０００３】
【発明が解決しようとする課題】
従来の、電子掲示板システムでは、活発に使用（文書の掲示、アクセス）される掲示板と、殆ど利用されない不活発な掲示板とが存在しているのが現状である。不活発な掲示板に掲示された文書の内容は、アクセス頻度が低くても、必ずしも低俗であるとは限らず、所定テーマをもったユーザにとってみると自己の発想支援に役立ち得る有効な情報であったり、新たな議題の発掘に有効な内容である場合がある。
しかし、掲示文書（記事）が少なく不活発な掲示板については、いつまでも不活発な状態のままである場合が多いという課題があった。
【０００４】
そこで本発明は、このような電子掲示板システムにおける従来の課題を解決するために成されたもので、不活発な掲示板、又は不活発な文書を活発化させることを第１の目的とする。
また、本発明は、不活発な掲示板、又は不活発な文書を活発化させるコンピュータ読取り可能な電子掲示板プログラムが記憶された記憶媒体を提供することを第２の目的とする。
また、本発明は電子掲示板を活発化させる方法を提供することを第３の目的とする。
【０００５】
【課題を解決するための手段】
請求項１に記載した発明では、所定テーマ毎に設けられた複数の掲示板に対し、ユーザから送信された文書が指定された掲示板に掲示される電子掲示板システムであって、掲示板に対するアクセス履歴を格納したアクセス履歴格納手段と、前記アクセス履歴に基づいて、不活発な掲示板と活発な掲示板を決定する利用状態判断手段と、前記利用状態判断手段により決定された活発な掲示板の文書のなかから、不活発な掲示板の文書に類似している類似文書を決定する類似文書決定手段と、前記類似文書決定手段により決定された類似文書が掲示される活発な掲示板に、前記不活発な掲示板の文書の情報を関連する文書として表示する文書関連表示手段とを、電子掲示板システムに具備させて前記第１の目的を達成する。
請求項２に記載した発明では、請求項１に記載した電子掲示板システムにおいて、前記文書関連表示手段は、更に、前記不活発な掲示板に、前記類似文書決定手段により決定された類似文書の情報を関連する文書として表示する。
請求項３に記載した発明では、請求項１又は請求項２に記載した電子掲示板システムにおいて、前記利用状態判断手段は、当該掲示板に掲示されている文書数と掲示文書に対するアクセス回数を用いて活発な掲示板と不活発な掲示板を決定する。
請求項４に記載した発明では、所定テーマ毎に設けられた複数の掲示板に対し、ユーザから送信された文書が指定された掲示板に掲示される電子掲示板システムであって、掲示板に対するアクセス履歴を格納したアクセス履歴格納手段と、前記アクセス履歴に基づいて、各掲示板に掲示された文書の利用状態を調べ、不活発な文書と活発な文書を決定する利用状態判断手段と、前記利用状態判断手段により決定された活発な文書のなかから、不活発な文書に類似している類似文書を決定する類似文書決定手段と、前記類似文書決定手段により決定された類似文書が掲示される掲示板に、前記不活発な文書の情報を関連する文書として表示する文書関連表示手段とを、電子掲示板システムに具備させて前記第１の目的を達成する。
請求項５に記載した発明では、請求項４に記載した電子掲示板システムにおいて、に、前記不活発な文書が掲示される掲示板に、前記類似文書決定手段により決定された類似文書の情報を関連する文書として表示する。
請求項６に記載した発明では、請求項１から請求項５のうちのいずれか１つの請求項に記載した電子掲示板システムにおいて、前記掲示板に掲示された文書を特徴づける文書ベクトルを取得する文書ベクトル取得手段を備え、前記類似文書決定手段は、前記文書ベクトル取得手段で取得された２つの文書の文書ベクトルから両文書の類似度を求め、類似度が所定値以上である場合に当該両文書が類似していると決定する。
請求項７に記載した発明では、請求項１から請求項６のうちのいずれか１つの請求項に記載した電子掲示板システムにおいて、前記文書関連表示手段は、ハイパーリンクにより、関連する文書として文書の情報を表示する。
請求項８に記載した発明では、請求項１から請求項６のうちのいずれか１つの請求項に記載した電子掲示板システムにおいて、前記文書関連表示手段は、掲示板に掲示されている文書の一覧画面において、関連する文書として文書のタイトルを表示する。
請求項９に記載した発明では、請求項１から請求項８のうちのいずれか１つの請求項に記載した電子掲示板システムにおいて、前記文書関連表示手段により関連する文書として表示されている文書が選択された場合、当該選択された文書を掲示したユーザにアクセスの承認を求めるアクセス承認フローを起動するアクセス処理手段を具備する。
【０００６】
請求項１０に記載した発明では、所定テーマ毎に設けられた複数の掲示板に対し、ユーザから送信された文書が指定された掲示板に掲示され、掲示板に対するアクセス履歴を格納したアクセス履歴格納手段を備える電子掲示板システムで使用される電子掲示板プログラムが記憶された記憶媒体であって、前記アクセス履歴に基づいて、不活発な掲示板と活発な掲示板を決定する利用状態判断機能と、前記利用状態判断機能により決定された活発な掲示板の文書のなかから、不活発な掲示板の文書に類似している類似文書を決定する類似文書決定機能と、前記類似文書決定機能により決定された類似文書が掲示される活発な掲示板に、前記不活発な掲示板の文書の情報を関連する文書として表示する文書関連表示機能とを、コンピュータに実現させるためのコンピュータ読取り可能な電子掲示板プログラムが記憶された記憶媒体に具備させて前記第２の目的を達成する。
請求項１１に記載した発明では、請求項１０に記載した電子掲示板プログラムが記憶された記憶媒体であって、前記文書関連表示機能は、更に、前記不活発な掲示板に、前記類似文書決定手段により決定された類似文書の情報を関連する文書として表示する。
請求項１２に記載した発明では、請求項１０又は請求項１１に記載した電子掲示板プログラムが記憶された記憶媒体であって、前記利用状態判断機能は、当該掲示板に掲示されている文書数と掲示文書に対するアクセス回数を用いて活発な掲示板と不活発な掲示板を決定する。
請求項１３に記載された発明では、所定テーマ毎に設けられた複数の掲示板に対し、ユーザから送信された文書が指定された掲示板に掲示され、掲示板に対するアクセス履歴を格納したアクセス履歴格納手段を備える電子掲示板システムで使用される電子掲示板プログラムが記憶された記憶媒体であって、前記アクセス履歴に基づいて、各掲示板に掲示された文書の利用状態を調べ、不活発な文書と活発な文書を決定する利用状態判断機能と、前記利用状態判断機能により決定された活発な文書のなかから、不活発な文書に類似している類似文書を決定する類似文書決定機能と、前記類似文書決定機能により決定された類似文書が掲示される掲示板に、前記不活発な文書の情報を関連する文書として表示する文書関連表示機能とを、コンピュータに実現させるためのコンピュータ読取り可能な電子掲示板プログラムが記憶された記憶媒体に具備させて、前記第２の目的を達成する。
請求項１４に記載した発明では、請求項１３に記載した電子掲示板プログラムが記憶された記憶媒体であって、前記文書関連表示手段は、更に、前記不活発な文書が掲示される掲示板に、前記類似文書決定手段により決定された類似文書の情報を関連する文書として表示する。
請求項１５に記載した発明では、請求項１０から請求項１４のうちのいずれか１つの請求項に記載した電子掲示板プログラムが記憶された記憶媒体であって、前記掲示板に掲示された文書を特徴づける文書ベクトルを取得する文書ベクトル取得機能を備え、前記類似文書決定機能は、前記文書ベクトル取得機能で取得された２つの文書の文書ベクトルから両文書の類似度を求め、類似度が所定値以上である場合に当該両文書が類似していると決定する。
請求項１６に記載した発明では、利用状態判断手段、類似文書決定手段、文書関連表示手段、掲示板に対するアクセス履歴を格納したアクセス履歴格納手段、を備え、所定テーマ毎に設けられた複数の掲示板に対し、ユーザから送信された文書が指定された掲示板に掲示される電子掲示板システムで用いられる電子掲示板の活性化方法であって、前記利用状態判断手段が、前記アクセス履歴に基づいて、不活発な掲示板と活発な掲示板を決定する第１ステップと、前記類似文書決定手段が、前記第１ステップにより決定された活発な掲示板の文書のなかから、不活発な掲示板の文書に類似している類似文書を決定する第２ステップと、前記文書関連表示手段が、前記第２ステップにより決定された類似文書が掲示される活発な掲示板に、前記不活発な掲示板の文書の情報を関連する文書として表示する第３ステップとを、具備することで前記第３の目的を達成する。
請求項１７に記載した発明では、利用状態判断手段、類似文書決定手段、文書関連表示手段、掲示板に対するアクセス履歴を格納したアクセス履歴格納手段、を備え、所定テーマ毎に設けられた複数の掲示板に対し、ユーザから送信された文書が指定された掲示板に掲示される電子掲示板システムで用いられる電子掲示板の活性化方法であって、前記利用状態判断手段が、前記アクセス履歴に基づいて、不活発な文書と活発な文書を決定する第１ステップと、前記類似文書決定手段が、前記第１ステップにより決定された活発な文書のなかから、不活発な文書に類似している類似文書を決定する第２ステップと、前記文書関連表示手段が、前記第２ステップにより決定された類似文書が掲示される掲示板に、前記不活発な文書の情報を関連する文書として表示する第３ステップとを具備することで前記第３の目的を達成する。
【０００７】
【発明の実施の形態】
以下、本発明の電子掲示板システムおよび電子掲示板プログラムが記憶された記憶媒体、及び電子掲示板の活性化方法における好適な実施の形態について、図１から図９を参照して説明する。
（１）実施形態の概要
図１は電子掲示板Ｇに掲示された文書の状態を表したものであり、図２は本実施形態による活発化支援処理後における電子掲示板Ｇの状態を表したものである。
本実施形態では、図１に例示した各電子掲示板Ｇ１、Ｇ２、Ｇ３、…から活発な掲示板と不活発な掲示板を、掲示されている文書数とアクセス総数から判断する。そして、活発と判断された掲示板Ｇ１の掲示文書Ａ１１、Ａ１２、Ａ１３、…及び掲示板Ｇ３の掲示文書Ａ３１、…のなかから、不活発と判断された掲示板に掲示されている不活発文書Ａ２１に類似する文書Ａ１３、Ａ２２に類似する文書Ａ３１を捜し出す。文書が類似しているか否かについては、各文書の特徴を表す文書ベクトルを取得（既に決定されてデータベース化されている場合には文書ベクトルデータベースから取得し、未だ決定されていない場合には文書ベクトル決定処理の実行により取得）し、両文書の文書ベクトル間の角度に依存するコサインによる類似度を算出し、この類似度が閾値を越える場合に両文書が類似すると判断する。
そして、図２に示すように、活発な掲示板Ｇ１の文書Ａ１３に、類似すると判断された不活発文書Ａ２１のタイトルを関連文書であることを明示（グレーにする、通常よりも薄い色にする、点線で囲う等）して表示する。
このように本実施形態によれば、不活発な掲示板に掲示された文書Ａ２１等であっても、活発な掲示板Ｇ１に掲示されている類似文書Ａ１３等に関連付けられるので、ユーザにアクセスされる機会が増加し掲示板Ｇ２の活発化が支援される。
【０００８】
（２）実施の形態の詳細
図３は、電子掲示板システムの構成を表したブロック図である。
本実施形態の電子掲示板システムは、パーソナルコンピュータやワードプロセッサ等を含むコンピュータシステムを使用し、ＬＡＮ（ローカル・エリア・ネットワーク）のサーバ、コンピュータ（パソコン）通信のホスト、電子掲示板が開設されたインターネット上のホームページ等によって実現可能である。
【０００９】
電子掲示板システムは、図１に示すようにシステム全体を制御するための制御部１１を備えている。この制御部１１には、データバス等のバスライン２０を介して、入力装置としてのキーボード１２やマウス１３、表示装置１４、印刷装置１５、記憶装置１６、記憶媒体駆動装置１７、通信制御装置１８、および、入出力Ｉ／Ｆ１９が接続されている。
制御部１１は、ＣＰＵ１１１、ＲＯＭ１１２、ＲＡＭ１１３を備えている。
ＲＯＭ１１２は、ＣＰＵ１１１が各種制御や演算を行うための各種プログラムやデータが予め格納されたリードオンリーメモリである。
【００１０】
ＲＡＭ１１３は、ＣＰＵ１１１にワーキングメモリとして使用されるランダムアクセスメモリである。このＲＡＭ１１３には、本実施形態による活発化支援処理を行うためのエリアとして、不活発文書の文書ベクトルが格納される不活発文書ベクトル格納エリア１１３１、活発文書の文書ベクトルが格納される活発文書ベクトル格納エリア１１３２、不活発文書と活発文書との類似度が格納される類似度格納エリア１１３３、その他の各種エリアが確保されるようになっている。
【００１１】
キーボード１２は、例えばシステムからユーザに対するお知らせ文書等の作成を行う場合等の各種場面で使用され、かな文字を入力するためのかなキーやテンキー、各種機能を実行するための機能キー、カーソルキー、等の各種キーが配置されている。
マウス１３は、ポインティングデバイスであり、表示装置１４に表示されたキーやアイコン等を左クリックすることで対応する機能の指定を行う入力装置である。
表示装置１４は、例えばＣＲＴや液晶ディスプレイ等が使用される。この表示装置には、キーボード１２やマウス１３による入力結果が表示されたり、各掲示板Ｇ１、Ｇ２、Ｇ３、…の全タイトルがリスト表示されたり、掲示板に掲示された文書のタイトルがリスト表示されたり、掲示板の内容自体が表示されたりするようになっている。
印刷装置１５は、表示装置１４に表示された文書や、記憶装置１６の文書格納部１６４に格納された文書等や、ユーザに対する請求書の印刷を行うためのものである。この印刷装置としては、レーザプリンタ、ドットプリンタ、インクジェットプリンタ、ページプリンタ、感熱式プリンタ、熱転写式プリンタ、等の各種印刷装置が使用される。
【００１２】
記憶装置１６は、読み書き可能な記憶媒体と、その記憶媒体に対してプログラムやデータ等の各種情報を読み書きするための駆動装置で構成されている。この記憶装置１６に使用される記憶媒体としては、主としてハードディスクが使用されるが、後述の記憶媒体駆動装置１７で使用される各種記憶媒体のうちの読み書き可能な記憶媒体を使用するようにしてもよい。
記憶装置１６は、仮名漢字変換辞書１６１、プログラム格納部１６２、データ格納部１６３、文書データベース１６４、アクセス履歴データベース１６５、文書ベクトルデータベース１６６、図示しないその他の格納部（例えば、この記憶装置１６内に格納されているプログラムやデータ等をバックアップするための格納部）等を有している。
プログラム格納部１６２には、本実施形態における活発化支援処理プログラム、文書ベクトル作成処理プログラム等の各種プログラムの他、仮名漢字変換辞書１６１を使用して入力された仮名文字列を漢字混り文に変換する仮名漢字変換プログラム等の各種プログラムが格納されている。
データ格納部１６３には、ユーザに関するデータ等の、システムが必要とする各種データが格納されている。
【００１３】
文書データベース１６４には、本システムにより作成された文書や、通信制御装置１８を介してユーザや会員等から各掲示板に対して送信された文書（記事）が格納される。この文書データベース１６４に格納される各文書の形式は特に限定されるものではなく、テキスト形式の文書、ＨＴＭＬ（Hyper Text Markup Language）形式の文書、ＪＩＳ形式の文書等の各種形式の文書の格納が可能である。
【００１４】
図４は、アクセス履歴データベース１６５の内容を概念的に表したものである。
アクセス履歴データベース１５は、各掲示板に対して、活発な掲示板、不活発な掲示板、及びいずれでもない掲示板を区別するために使用される。
図４に示されるように、アクセス履歴データベース１６５には、各掲示板Ｇ１、Ｇ２、…、Ｇｊ、…毎に、その掲示板に掲示された文書Ａｊｋを特定するためのデータ（「文書」欄）、その文書Ａｊｋが掲載された日付を表すデータ（｛掲載日欄」）、その文書Ａｊｋに対するアクセスが合った日付とその日におけるアクセス回数（「アクセス記録」欄）が格納されるようになっている。
なお、このアクセス履歴データベース１６５は、各文書に対する掲載日時やアクセス日時等に関するデータが他に存在する場合には、そちらのデータを使用するようにしてもよい。
【００１５】
図５は、文書ベクトルデータベース１６６の内容を概念的に表したものである。
この図５に示されるように、文書Ａｊｋの中から自動抽出されたキーワードｘに対して求められた重要度ｆ（ｘ）が文書ベクトルの要素値ｆ（ｘ）として格納されている。この文書ベクトルは各文書ｊｋ（ｊ＝１〜、ｋ＝１〜）毎に格納され、文書データベース１６４に格納されている各文書と対応づけられている。
各文書ベクトルの次元は採用するキーワードｘ（重要語句）の数であるが、２文書間の類似度を両文書ベクトルから求める場合には、両文書のキーワードの和集合の数が両文書ベクトルの次元となる。この場合、一方の文書ベクトルにのみ含まれるキーワードに対する他方の文書ベクトルの要素値は、”０”に定義される。
【００１６】
例えば図２おいて、文書Ｂのキーワードは「重要、重要語、重要度、…」、文書Ｃのキーワードは「重要、…、政治、…」であり、両文書の文書ベクトルは次の通りである。
文書Ｂの文書ベクトル＝（  １，１８，１９，…）
文書Ｃの文書ベクトル＝（１８，…，２１，…）
これに対して文書Ｂと文書Ｃとの類似度を算出する場合には、両文書のキーワードを「重要、重要語、重要度、…、政治、…」とし、両文書の文書ベクトルはつぎの通り定義される。
文書Ａの文書ベクトル＝（  １，１８，１９，…，  ０，…）、
文書Ｃの文書ベクトル＝（１８，  ０，  ０，…，２１，…）
【００１７】
記憶媒体駆動装置１７（図３）は、ＣＰＵ１１１が外部の記憶媒体からコンピュータプログラムや文書を含むデータ等を読み込むための駆動装置である。記憶媒体に記憶されているコンピュータプログラム等には、本実施形態の電子掲示板システムにより実行される活発化支援処理等の各種処理プログラム、および、そこで使用される辞書、データ等も含まれる。
ここで、記憶媒体とは、コンピュータプログラムやデータ等が記憶される記憶媒体をいい、具体的には、フロッピーディスク、ハードディスク、磁気テープ等の磁気記憶媒体、メモリチップやＩＣカード等の半導体記憶媒体、ＣＤ−ＲＯＭやＭＯ、ＰＤ（相変化書換型光ディスク）等の光学的に情報が読み取られる記憶媒体、紙カードや紙テープ等の用紙（および、用紙に相当する機能を持った媒体）を用いた記憶媒体、その他各種方法でコンピュータプログラム等が記憶される記憶媒体が含まれる。本実施形態の電子掲示板システムにおいて使用される記憶媒体としては、主として、ＣＤ−ＲＯＭやフロッピーディスクが使用される。
記憶媒体駆動装置１７は、これらの各種記憶媒体からコンピュータプログラムを読み込む他に、フロッピーディスクのような書き込み可能な記憶媒体に対してＲＡＭ１１３や記憶装置１６に格納されているデータ等を書き込むことが可能である。
【００１８】
本実施形態の電子掲示板システムでは、制御部１１のＣＰＵ１１１が、記憶媒体駆動装置１７にセットされた外部の記憶媒体からコンピュータプログラムを読み込んで、記憶装置１６の各部に格納（インストール）する。そして、本実施形態による活発化支援処理等の各種処理を実行する場合、記憶装置１６から該当プログラムをＲＡＭ１１３に読み込み、実行するようになっている。
但し、記憶装置１６からではなく、記憶媒体駆動装置１７により外部の記憶媒体から直接ＲＡＭ１１３にプログラムを読み込んで実行することも可能である。また、電子掲示板システムによっては、本実施形態の活発化支援処理プログラム等を予めＲＯＭ１１２に記憶させておき、これをＣＰＵ１１１が実行するようにしてもよい。
さらに、本実施形態の活発化支援処理プログラム等の各種プログラムやデータを、通信制御装置１８を介して他の記憶媒体からダウンロードし、実行するようにしてもよい。
【００１９】
通信制御装置１８は、電子掲示板システムと他のパーソナルコンピュータやワードプロセッサ等の各種電子機器との間をネットワーク接続するための制御装置である。通信制御装置１８は、これら各種電子機器から所定の掲示板への掲示を求める文書を受信するようになっている。受信対象となる文書には、テキスト形式やＨＴＭＬ形式等の各種形式の文書の他、ビットマップデータ等の各種データも含まれる。
入出力Ｉ／Ｆ１９は、音声や音楽等の出力を行うスピーカ等の各種機器を接続するためのインターフェースである。
【００２０】
以上のように構成された本実施形態の電子掲示板システムによる活発化支援処理の動作について、図６から図８を使用して説明する。
制御部１１のＣＰＵ１１１は、例えば、１週間毎、隔週毎、１ヶ月毎、隔月毎、半年毎、１年毎等の予め設定された所定時間間隔毎に以下に説明する活発化支援処理を実行する。
【００２１】
図６は活発化支援処理のメイン動作を表したフローチャートである。
ＣＰＵ１１１は、各掲示板Ｇを指定するためのカウンタｊをｊ＝１に設定し、掲示板内の文書を指定するためのカウンタｋをｋ＝１に設定する等の初期設定を行う（ステップ１１）。
【００２２】
そしてＣＰＵ１１１は、掲示板Ｇｊについての履歴をアクセス履歴データベース１６５から取得し、当該掲示板Ｇｊの利用状態を判断する（ステップ１２）。利用状態の判断は、活発な掲示板、不活発な掲示板、通常の掲示板の３つの状態に区別する判断であり、以下のようにして判断する。
まず、当該処理を行っている日から遡って所定期間Ｔ１（例えば、１ヶ月）以内に掲示板Ｇｊに掲載された文書の全件数Ｐをアクセス履歴データベース１６５の掲載日欄（図４参照）から求める。また、当該処理日から遡って所定期間Ｔ２（例えば、１ヶ月）以内に、件数Ｐに含まれる全文書に対してアクセスされた総回数ｐをアクセス履歴データベース１６５のアクセス記録欄から求める。
Ｐ≧Ｑ件またはｐ≧ｑ回のいずれかの条件を満たす掲示板Ｇを活発な掲示板と判断し、Ｐ≦Ｒ件またはｐ≦ｒ回のいずれかの条件を満たす掲示板Ｇを不活発な掲示板と判断し、両条件を満たさない掲示板を通常の掲示板と判断する。
【００２３】
ＣＰＵ１１１は判断した掲示板Ｇｊの利用状況が、通常の掲示板である場合（ステップ１３；Ｎ）、リンク対象、被リンク対象のいずれでもないので次の掲示板についての利用状態を判断するためにカウンタｊをカウントアップ（ｊ＝ｊ＋１）、カウンタｋを初期化（ｋ＝１）し（ステップ１４）、ステップ１２に戻る。
【００２４】
一方、掲示板Ｇｊが活発または不活発である場合（ステップ１３；Ｙ）、ＣＰＵ１１１は、記憶装置１６の文書ベクトルデータベース１６６に文書Ａｊｋの文書ベクトルＢｊｋが格納されているかを調べ（ステップ１５）、格納されていれば（；Ｙ）、文書ベクトルＢｊｋを読み出す（ステップ１６；文書ベクトル取得手段）。
文書Ａｊｋの文書ベクトルＢｊｋが文書ベクトルデータベース１６６に格納されていない場合には（ステップ１５；Ｎ）、文書ベクトルＢｊｋを作成する（ステップ１７；文書ベクトル取得手段）
【００２５】
図７は、文書ベクトル作成処理の動作を表したフローチャートである。
ＣＰＵ１１１は、形態素解析を行うことで対象文書Ａから自立語を抽出する（ステップ１３１）と共に、名詞句、複合名詞句等を含めた候補語（句）を対象文書Ａから抽出しＲＡＭ１１３の所定作業領域に格納する（ステップ１３２）。
そして抽出した候補語（句）の対象文書Ａでの出現頻度、評価関数から、各候補語（句）重要度ｆ（ｘ）を決定する（ステップ１３３）。ここで、評価関数としては、例えば、所定の重要語が予め指定されている場合にはその重要語に対する重み付け、単語、名詞句、複合名詞句等の候補語（句）の種類による重み付け等が使用される。
さらにＣＰＵ１１１は、決定した重要度ｆ（ｘ）の値から対象文書Ａのキーワードａ，ｂ，…を決定する（ステップ１３４）。そして、各キーワードの重要度ｆ（ｘ）を要素として、文書ベクトルＢ＝（ｆ（ａ），ｆ（ｂ），…）を記憶装置１６の文書ベクトルデータベース１６６に格納して（ステップ１３５）、図６の活発化支援処理ルーチンにリターンする。
【００２６】
ＣＰＵ１１１は、ステップ１３における判断結果から掲示板Ｇｊが活発であるか否かを調べる（ステップ１８）。活発な掲示板であれば（；Ｙ）ステップ１７で作成した文書ベクトルＢｊｋ、又はステップ１６で読み出した文書ベクトルＢｊｋを、活発文書（被リンク候補文書）の文書ベクトルとしてＲＡＭ１１３の活発文書ベクトル格納エリア１１３２に格納する（ステップ１９）。一方、不活発な掲示板であれば（；Ｎ）、文書ベクトルＢｊｋを不活発文書（リンク候補文書）の文書ベクトルとして不活発文書ベクトル格納エリア１１３１に格納する（ステップ２０）。
【００２７】
その後ＣＰＵ１１１は、カウンタｋの値が最大値（ｋ＝ｍａｘ＝Ｐ）か否かを判断し（ステップ２１）、最大値でない場合（；Ｎ）にはカウンタｋをカウントアップ（ｋ＝ｋ＋１）し（ステップ２２）、当該掲示板Ｇｊに掲示されている他の文書Ａｊｋについての文書ベクトルをＲＡＭ１６に格納するためにステップ１５に戻る。
一方、カウンタｋの値が最大値である場合（ステップ２１；Ｙ）、ＣＰＵ１１１は、カウンタｊの値が最大値（ｍａｘ）か否かについて、すなわち、全掲示板について利用状況の判断が終了しているか否かについて確認し（ステップ２２）、最大値でなければ（ステップ２２；Ｎ）、ステップ１４に移行してカウンタｊのカウントアップカウンタｋの初期化をした後、ステップ１２に戻って次の掲示板Ｇｊについての処理を行う。
【００２８】
カウンタｊの値が最大値である場合（ステップ２３）、ＣＰＵ１１１は、ＲＡＭ１６の不活発文書ベクトル格納エリア１１３１から１つの文書ベクトルＢｊｋを読み出し（ステップ２４）、活発文書ベクトル格納エリア１１３２に格納されている各活発文書ベクトルとの類似度Ｓを、両文書ベクトル間の角度に依存するコサインにより算出しＲＡＭ１１３の類似度格納エリア１１３３に格納する（ステップ２５）。
いま、文書Ａｘの文書ベクトルＢｘと文書Ａｙの文書ベクトルＢｙとの間の角度をθとし、両文書ベクトルの内積をＢｘ・Ｂｙとし、両文書ベクトルの大きさをそれぞれ｜Ｂｘ｜、｜Ｂｙ｜とした場合、両文書ベクトルの類似度Ｓは次の数式１により求まる。
【００２９】
【数１】
類似度Ｓ＝ＣＯＳ（θ）＝（Ｂｘ・Ｂｙ）／（｜Ｂｘ｜×｜Ｂｙ｜）
【００３０】
この類似度Ｓの値は−１≦Ｓ≦１の値をとり、１に近いほど２つの文書ベクトルが互いに平行に近く、２つの文書Ａｘと文書Ａｙは互いに類似していると考えることができる。
【００３１】
ＣＰＵ１１１は、ステップ２４で読み出した不活発文書の文書ベクトルと、各活発文書の文書ベクトルとの類似度Ｓが求まると、類似度Ｓが所定の閾値（例えば、０．８）以上である活発文書Ａをリストアップする（ステップ２６）。そして、類似する活発文書の掲示板に、不活発文書の情報を関連文書として表示する（ステップ２７）。
【００３２】
ＣＰＵ１１１は、類似度の算出について未処理の不活発文書ベクトルが存在するか否かを確認し、存在する場合には（ステップ２８；Ｙ）ステップ２４に戻り、未処理の文書ベクトルについての処理を繰り返す。
未処理の不活発文書ベクトルが無い場合には（ステップ２８；Ｎ）、本実施形態による活発化支援処理を終了する。
【００３３】
図８は、図１に示した各文書Ａｊｋに対して、２文書間の類似関係を概念的に表したものである。この図に示した文書ベクトルＢｊｋは、概念的な理解を容易にするために２次元で表示したものであるが、実際には各文書ベクトルの要素の数（１の文書ベクトルの場合）、または２つの文書ベクトルの要素の和集合の数（類似度算出の場合）が次元となる。
図８の横方向のタイトル欄には、ステップ１３で不活発であると判断された掲示板Ｇ２に掲示されている全文書Ａ２１、Ａ２２と、各文書についてステップ１６、１７で取得した文書ベクトルＢ２１、Ｂ２２が表示されている。縦軸方向のタイトル欄には、活発であると判断された掲示板Ｇ１とＧ３に掲示されている全文書Ａ１１、Ａ１２、Ａ１３、…、Ａ３１、…と、各文書について取得した文書ベクトルＢ１１、Ｂ１２、Ｂ１３、…、Ｂ３１、…とが表示されている。
そして、不活発文書Ａ１１の文書ベクトルＢ２１と、活発文書の各文書ベクトルＢ１１、Ｂ２２、…との類似度Ｓから、不活発文書Ａ２１と活発文書１３とが類似していると判断される。
同様にして、不活発文書Ａ２２と活発文書Ａ３１とが類似していると判断される。
【００３４】
不活発文書Ａ２１、Ａ２２に類似する活発文書Ａ１３、Ａ３１が見つかると、活発掲示板Ｇ１の活発文書Ａ１３欄に不活発文書Ａ２１の情報が表示され、活発掲示板Ｇ３の活発文書欄Ａ１３欄に不活発文書Ａ２２の情報が表示される。
活発文書と不活発文書との関連付けは、図２に示すように、活発な掲示板Ｇ１の文書Ａ１３のタイトルに、類似すると判断された不活発文書Ａ２１のタイトルを関連文書であることを明示（グレーにする、通常よりも薄い色にする、点線で囲う等）して表示する。
【００３５】
図２に示すように、活発な掲示板Ｇ１、Ｇ３中に不活発文書Ａ２１、Ａ２２が関連表示されるため、当該掲示板Ｇ１またはＧ３にアクセスしたユーザ等により不活発な文書Ａ２１、Ａ２２が参照される可能性が高まり、不活発な掲示板Ｇ２の活発化が支援される。
また電子掲示板のユーザにとっても、関連表示された不活発文書にアクセスすることで、発想支援や新たな議題（スレッド）の発掘に利用することが可能となる。
【００３６】
ユーザが活発文書に関連表示された不活発文書、例えば、図２のＡ２１にアクセスするには、不活発掲示板Ｇ２経由で不活発文書Ａ２１をアクセスする方法と、活発掲示板Ｇ１の活発文書Ａ１３に関連表示された不活発文書Ａ２１を選択（クリック）することでアクセスする方法とがある。
後者の場合、不活発文書が実際に掲示されている掲示板以外の掲示板からのアクセスが行われることになる。そこで、当該不活発文書Ａ２１が選択された時点で、不活発文書Ａ２１を掲示したユーザに対して他の掲示板からアクセスすることに対して承認を求めるアクセス承認フローを起動し、不活発文書Ａ２１の掲示ユーザの承認を得た後にアクセスを可能にする。
【００３７】
図２では、不活発文書文書Ａ２１、Ａ２２に類似する活発文書はそれぞれ１文書づつである場合について表したが、１の不活発文書に対して複数の活発文書が類似する場合もあり得る。この場合、本実施形態では全ての活発文書に対して関連付けを行うが、類似する活発文書が所定件数以上（例えば、１１件以上）ある場合には、類似度Ｓが大きい上位１０件の活発文書に対して関連付けを行うようにしてもよい。
逆に１の活発文書に複数の不活発文書が関連付けられる場合もあり、この場合には全ての不活発文書を関連付けるようにしても、所定数（例えば、５件）の不活発文書に限定して関連付けるようにしてもよい。後者の場合も類似度Ｓの大きい上位所定件数の不活発文書が選択されるが、他の活発文書にも関連付けられている不活発文書との類似度Ｓには例えば０．８の重み付けをし、他の活発文書には関連付けられていない不活発文書との類似度Ｓには例えば、１．１の重み付けをする。
【００３８】
また、図２では、活発文書Ａ１１、Ａ３１に不活発文書Ａ２１、Ａ２２の関連表示を行った状態を示したが、図９に示すように、不活発文書Ａ２１に活発文書Ａ２１を関連表示し、不活発文書Ａ２２に活発文書Ａ３１を関連表示するようにしてもよい。
さらに、活発掲示板の文書一覧画面に現れるタイトルや、活発文書の文書中等の中のタームに、類似する不活発文書へのハイパーリンクを自動付与するようにしてもよい。
【００３９】
以上、本実施形態の構成および活発化支援処理について説明したが、本発明では、これらの各形態に限定されるものではなく、各請求項に記載された発明の範囲内で種々の変形をすることが可能である。
例えば、実施形態では、活発な掲示板に掲示された文書を活発文書とし、不活発な掲示板に掲示された文書を不活発文書として、両文書間の関連付けを行うようにしたが、本発明では他に、掲示板全体が活発か不活発かを問わず、各文書単位で活発か不活発かを判断するようにしてもよい。この場合、各文書が活発か不活発かについては、その文書に対するアクセス回数により判断する。例えば、１ヶ月間でのアクセス回数がｑ′回以上である文書を活発文書とし、ｒ′回以下である文書を不活発文書とする。
【００４０】
また、実施形態では不活発文書に類似する活発文書を決定するのに両文書の文書ベクトルを使用したが、本発明では文書ベクトルを使用した方法に限定されず、他に公知となっている種々の方法を使用して両文書間の類似関係を調べ、決定するようにしてもよい。
【００４１】
また、説明した実施形態では、活発な文書または掲示板に、不活発な文書を関連付ける場合に付いて説明したが、本発明では、この逆であってもよい。
すなわち、不活発な文書または掲示板に活発な文書を関連付けるようにしてもよい。これにより、不活発な側（文書または掲示板）に対し、不活発な文書だけでなく、類似文書が多数掲示されることで注目度があがり、結果として活発化することになる。類似文書をサクラとして不活発文書等に関連付けることで、見かけ上の活発化（枯れ木も山のにぎわい）を通して文書がアクセスされ、結果として実際に活発化されることになる。
この意味、不活発な側に関連付ける類似文書としては、不活発文書に類似していればよく、必ずしも活発な文書でなくてもよい。
【００４２】
説明した実施形態は日本語で作成された文書に限られるものではなく、あらゆる言語で作成された文書を対象とすることが可能である。その場合、対象となる文書が作成された言語用の形態素解析アルゴリズム等を使用するといった、本発明の構成には影響のない部分を変更するだけでよい。
【００４３】
なお、以上の実施形態において説明した、各装置、各部、各動作、各処理等に対しては、それらを含む上位概念としての各手段（〜手段）により、実施形態を構成することが可能である。
例えば、「ＣＰＵ１１１は、…各活発文書ベクトルとの類似度Ｓを、両文書ベクトル間の角度に依存するコサインにより算出し…（ステップ２５）。」との記載に対して「類似度算出手段」を構成し、「類似度Ｓが所定の閾値（例えば、０．８）以上である活発文書Ａをリストアップする（ステップ２６）。」との記載に対して「活発文書リストアップ手段」を構成するようにしてもよい。
同様に、その他各種動作に対して「〜（動作）手段」等の上位概念で実施形態を構成するようにしてもよい。
例えば、以下のように構成するようにしてもよい。
（１）図１０に示すように、所定テーマ毎に設けられた複数の掲示板に対し、ユーザから送信された文書が指定された掲示板に掲示される電子掲示板システムであって、各掲示板の利用状態を調べ、不活発な掲示板と活発な掲示板を決定する利用状態判断手段と、前記利用状態判断手段により決定された活発な掲示板の文書のなかから、不活発な掲示板の文書に類似している文書を決定する類似文書決定手段と、前記類似文書決定手段により類似しているとされた文書の活発な掲示板に、類似しているとされた不活発な掲示板の文書の情報を関連する文書として表示し、または、前記類似文書決定手段により類似しているとされた不活発な文書の掲示板に、類似しているとされた文書の情報を関連する文書として表示する、文書関連表示手段とを、電子掲示板システムに具備させる。
（２）上記（１）に記載した電子掲示板システムにおいて、前記利用状態判断手段は、当該掲示板に掲示されている文書数と掲示文書に対するアクセス回数を用いて活発な掲示板と不活発な掲示板を決定する。
（３）図１１に示すように、所定テーマ毎に設けられた複数の掲示板に対し、ユーザから送信された文書が指定された掲示板に掲示される電子掲示板システムであって、各掲示板に掲示された文書の利用状態を調べ、不活発な文書と活発な文書を決定する利用状態判断手段と、前記利用状態判断手段により決定された活発な文書のなかから、不活発な文書に類似している文書を決定する類似文書決定手段と、前記類似文書決定手段により類似しているとされた活発な文書の掲示板に、類似しているとされた不活発な文書の情報を関連する文書として表示し、または、前記類似文書決定手段により類似しているとされた不活発な文書の掲示板に、類似しているとされた活発な文書の情報を関連する文書として表示する、文書関連表示手段とを、電子掲示板システムに具備させる。
（４）図１２に示すように、上記（１）から（３）のうちのいずれか１つに記載した電子掲示板システムにおいて、前記掲示板に掲示された文書を特徴づける文書ベクトルを取得する文書ベクトル取得手段を備え、前記類似文書決定手段は、前記文書ベクトル取得手段で取得された２つの文書の文書ベクトルから両文書の類似度を求め、類似度が所定値以上である場合に当該両文書が類似していると決定する。
（５）上記（１）から（４）のうちのいずれか１つに記載した電子掲示板システムにおいて、前記不活発文書関連表示手段は、ハイパーリンクにより、関連する文書として文書の情報を表示する。
（６）上記（１）から（４）のうちのいずれか１つに記載した電子掲示板システムにおいて、前記不活発文書関連表示手段は、掲示板に掲示されている文書の一覧画面において、関連する文書として文書のタイトルを表示する。
（７）図１３に示すように、上記（１）から（６）のうちのいずれか１つに記載した電子掲示板システムにおいて、前記不活発文書関連表示手段により関連する文書として表示されている文書が選択された場合、当該選択された文書を掲示したユーザにアクセスの承認を求めるアクセス承認フローを起動するアクセス処理手段を具備する。
（８）図１４に示すように、所定テーマ毎に設けられた複数の掲示板に対し、ユーザから送信された文書が指定された掲示板に掲示される電子掲示板プログラムが記憶された記憶媒体であって、各掲示板の利用状態を調べ、不活発な掲示板と活発な掲示板を決定する利用状態判断機能と、前記利用状態判断機能により決定された活発な掲示板の文書のなかから、不活発な掲示板の文書に類似している文書を決定する類似文書決定機能と、前記類似文書決定機能により類似しているとされた文書の活発な掲示板に、類似しているとされた不活発な掲示板の文書の情報を関連する文書として表示し、または、前記類似文書決定機能により類似しているとされた不活発な文書の掲示板に、類似しているとされた文書の情報を関連する文書として表示する、文書関連表示機能とを、コンピュータに実現させるためのコンピュータ読取り可能な電子掲示板プログラムが記憶された記憶媒体に具備させる。
（９）上記（８）に記載した電子掲示板プログラムが記憶された記憶媒体であって、前記利用状態判断機能は、当該掲示板に掲示されている文書数と掲示文書に対するアクセス回数を用いて活発な掲示板と不活発な掲示板を決定する。
（１０）図１５に示すように、所定テーマ毎に設けられた複数の掲示板に対し、ユーザから送信された文書が指定された掲示板に掲示される電子掲示板プログラムが記憶された記憶媒体であって、各掲示板に掲示された文書の利用状態を調べ、不活発な文書と活発な文書を決定する利用状態判断機能と、前記利用状態判断機能により決定された活発な文書のなかから、不活発な文書に類似している文書を決定する類似文書決定機能と、前記類似文書決定機能により類似しているとされた活発な文書の掲示板に、類似しているとされた不活発な文書の情報を関連する文書として表示し、または、前記類似文書決定機能により類似しているとされた不活発な文書の掲示板に、類似しているとされた活発な文書の情報を関連する文書として表示する、文書関連表示機能とを、コンピュータに実現させるためのコンピュータ読取り可能な電子掲示板プログラムが記憶された記憶媒体に具備させる。
（１１）図１６に示すように、上記（８）から（１０）のうちのいずれか１つに記載した電子掲示板プログラムが記憶された記憶媒体であって、前記掲示板に掲示された文書を特徴づける文書ベクトルを取得する文書ベクトル取得機能を備え、前記類似文書決定機能は、前記文書ベクトル取得機能で取得された２つの文書の文書ベクトルから両文書の類似度を求め、類似度が所定値以上である場合に当該両文書が類似していると決定する。
（１２）上記（８）から（１１）のうちのいずれか１つに記載した電子掲示板プログラムが記憶された記憶媒体であって、前記不活発文書関連表示機能は、ハイパーリンクにより、関連する文書として文書の情報を表示する。
（１３）上記（８）から（１２）のうちのいずれか１つに記載した電子掲示板プログラムが記憶された記憶媒体であって、前記不活発文書関連表示機能は、掲示板に掲示されている文書の一覧画面において、関連する文書として文書のタイトルを表示する。
（１４）図１７に示すように、上記（８）から（１３）のうちのいずれか１つに記載した電子掲示板プログラムが記憶された記憶媒体であって、前記不活発文書関連表示機能により関連する文書として表示されている文書が選択された場合、当該選択された文書を掲示したユーザにアクセスの承認を求めるアクセス承認フローを起動するアクセス処理機能を具備する。
（１５）図１８に示すように、所定テーマ毎に設けられた複数の掲示板に掲示された文書のなかから活発な文書と不活発な文書を決定し、不活発な文書と活発な文書を関連付ける。
【００４４】
【発明の効果】
本発明によれば、掲示板に掲載された不活発な文書に類似する活発な文書を決定し、不活発な文書の情報を活発な掲示板に表示するようにしたので、不活発な掲示板、又は不活発な文書の活発化を支援することができる。
【図面の簡単な説明】
【図１】本発明の１実施形態における電子掲示板Ｇに掲示された文書の状態を表した説明図である。
【図２】同上、図１に示した電子掲示板Ｇに対して、本実施形態による活発化支援処理を行った後の状態を表した説明図である。
【図３】本発明の１実施形態における電子掲示板システムの構成を表したブロック図である。
【図４】同上、実施形態におけるアクセス履歴データベースの内容を概念的に表した説明図である。
【図５】同上、実施形態における文書ベクトルデータベースの内容を概念的に表した説明図である。
【図６】同上、実施形態における活発化支援処理の動作を表したフローチャートである。
【図７】同上、活発化支援処理における文書ベクトル作成処理の動作を表したフローチャートである。
【図８】同上、実施形態における不活発文書と活発文書間の文書ベクトルによる類似関係を表した説明図である。
【図９】同上、図１に示した電子掲示板Ｇに対して、本実施形態による活発化支援処理を行った後の他の表示状態を表した説明図である。
【図１０】請求項１に記載した発明のクレーム対応図である。
【図１１】請求項３に記載した発明のクレーム対応図である。
【図１２】請求項４に記載した発明のクレーム対応図である。
【図１３】請求項７に記載した発明のクレーム対応図である。
【図１４】請求項８に記載した発明のクレーム対応図である。
【図１５】請求項１０に記載した発明のクレーム対応図である。
【図１６】請求項１１に記載した発明のクレーム対応図である。
【図１７】請求項１４に記載した発明のクレーム対応図である。
【図１８】請求項１５に記載した発明のクレーム対応図である。
【符号の説明】
１１  制御部
１１２  ＲＯＭ
１１３  ＲＡＭ
１１３１  不活発文書ベクトル格納エリア
１１３２  活発文書ベクトル格納エリア
１１３３  類似度格納エリア
１２  キーボード
１３  マウス
１４  表示装置
１５  印刷装置
１６  記憶装置
１６１  仮名漢字変換辞書
１６２  プログラム格納部
１６３  データ格納部
１６４  文書データベース
１６５  アクセス履歴データベース
１６６  文書ベクトルデータベース
１７  記憶媒体駆動装置
１８  通信制御装置
１９  入出力Ｉ／Ｆ
【図１】
0004044644.tif 000002
【図２】
0004044644.tif 000003
【図３】
0004044644.tif 000004
【図４】
0004044644.tif 000005
【図５】
0004044644.tif 000006
【図６】
0004044644.tif 000007
【図７】
0004044644.tif 000008
【図８】
0004044644.tif 000009
【図９】
0004044644.tif 000010
【図１０】
0004044644.tif 000011
【図１１】
0004044644.tif 000012
【図１２】
0004044644.tif 000013
【図１３】
0004044644.tif 000014
【図１４】
0004044644.tif 000015
【図１５】
0004044644.tif 000016
【図１６】
0004044644.tif 000017
【図１７】
0004044644.tif 000018
【図１８】
0004044644.tif 000019